(57)【要約】【課題】キーヘッドには様々な形状のものが存在する。キーヘッドカバーもこれに合わせて様々な形状のものを作るとすれば、コストが高くついてしまう。本発明は上記事情に鑑みてなされたもので、様々な形状のキーヘッドに対応し得るキーヘッドカバーを製作できるようにすることを課題とする。【解決手段】上記課題を解決するため、二つのカバー皮からなるキーヘッド１のカバーにおいて、一方のカバー皮５の裏側には各々のキーヘッド形状に対応した固定片６、７、８を設けるとともに、他方のカバー皮１０には、種々のキーヘッド形状にも対応し得るよう、固定片を敢えて設けないこととした。【選択図】図４
2008082141.tif 000002
【特許請求の範囲】
【請求項１】
二つのカバー皮からなるキーヘッドカバーにおいて、一方のカバー皮の背面には各々のキーヘッド形状に対応した固定片を設けるとともに、他方のカバー皮には、種々のキーヘッド形状にも対応し得るよう、固定片を敢えて設けないことを特徴とするキーヘッドカバー
【請求項２】
一方のカバー皮の背面にある固定片を、少なくともキーヘッド外周部の全体又は一部に当接するように設けたことを特徴とする請求項１記載のキーヘッドカバー
【請求項３】
一方のカバー皮の背面にある固定片を、キーヘッド外周部の全体又は一部、及びキーホルダー用貫通孔内周部の全体又は一部に当接するように設けたことを特徴とする請求項１記載のキーヘッドカバー
【請求項４】
一方のカバー皮の背面にある固定片を、少なくともキーヘッドのコーナー部分２箇所に当接するように設けたことを特徴とする請求項１記載のキーヘッドカバー
【請求項５】
一方のカバー皮の背面にある固定片を、キーヘッド外周部のコーナー部分２箇所、及びキーホルダー用貫通孔内周部の全体又は一部に当接するように設けたことを特徴とする請求項１記載のキーヘッドカバー
【請求項６】
一方のカバー皮の背面にある固定片を、キーヘッド外周部のコーナー部分２箇所及び両側辺、並びにキーホルダー用貫通孔内周部の全体又は一部に当接するように設けたことを特徴とする請求項１記載のキーヘッドカバー
【請求項７】
一方のカバー皮の背面にある固定片を、少なくともキーヘッド外周部の上辺と両側辺に当接するように設けたことを特徴とする請求項１記載のキーヘッドカバー
【請求項８】
一方のカバー皮の背面にある固定片を、キーヘッド外周部の上辺及び両側辺、並びにキーホルダー用貫通孔内周部の全体又は一部に当接するように設けたことを特徴とする請求項１記載のキーヘッドカバー
【請求項９】
キーヘッドの正面又は背面を押圧する押圧片を、一方のカバー皮の背面に設けたことを特徴とする請求項１乃至請求項８に記載したキーヘッドカバー
【請求項１０】
キーヘッドの正面及び背面を押圧する押圧片を、他方のカバー皮の背面に設けたことを特徴とする請求項１乃至請求項８に記載したキーヘッドカバー
【請求項１１】
キーヘッドの正面及び背面を押圧する押圧片を、一方のカバー皮及び他方のカバー皮の背面に設けたことを特徴とする請求項１乃至請求項８に記載したキーヘッドカバー
【発明の詳細な説明】
【技術分野】
【０００１】  本発明は、鍵材の摘み部分に相当するキーヘッドを覆うキーヘッドカバーの構造に関するものである。
【背景技術】
【０００２】  一般に、鍵材はそのままでも使用可能であるが、キーヘッドを摘み易くし、鍵穴に差し込んでからの回転力を掛け易くするためにキーヘッドカバーを装着することが多い。【０００３】  キーヘッドカバーは、ＡＢＳ等の比較的固めの樹脂で製作されることが多いが、完成品として出来上がったキーヘッドカバーをそのまま被せるのではなく、２つのカバー片でキーヘッドを挟み込むようにして覆うものである。
【特許文献１】特開平０８−０９３２８６
【発明の開示】
【発明が解決しようとする課題】
【０００４】  しかし、キーヘッドには様々な形状のものが存在する。そのため、ある鍵材のキーヘッドにはきちんとフィットするキーヘッドカバーであっても、別の鍵材のキーヘッドに被せた場合にはフィットせずに、キーヘッドカバーの中で、キーヘッドが、ぐらぐらとがたついてしまう。これを防ぐためには、あらゆる鍵材のキーヘッド毎に個別のキーヘッドカバーを作ればよいのであるが、この方法は、あまりに煩雑でコストが高くついてしまい、とても現実的とはいえない。【０００５】  本発明は上記事情に鑑みてなされたもので、様々な形状のキーヘッドに対応し得るキーヘッドカバーを製作できるようにすることを課題とする。
【課題を解決するための手段】
【０００６】  上記課題を解決するため、二つのカバー皮からなるキーヘッドカバーにおいて、一方のカバー皮の背面には各々のキーヘッド形状に対応した固定片を設けるとともに、他方のカバー皮には、種々のキーヘッド形状にも対応し得るよう、固定片を敢えて設けないこととした。【０００７】  具体的には、一方のカバー皮の背面にある固定片を、少なくともキーヘッド外周部の全体又は一部に当接するように設ける。【０００８】  あるいは、一方のカバー皮の背面にある固定片を、キーヘッド外周部の全体又は一部、及びキーホルダー用貫通孔内周部の全体又は一部に当接するように設ける。【０００９】  あるいは、一方のカバー皮の背面にある固定片を、少なくともキーヘッドのコーナー部分２箇所に当接するように設ける。【００１０】  あるいは、一方のカバー皮の背面にある固定片を、キーヘッド外周部のコーナー部分２箇所、及びキーホルダー用貫通孔内周部の全体又は一部に当接するように設ける。【００１１】  あるいは、一方のカバー皮の背面にある固定片を、キーヘッド外周部のコーナー部分２箇所及び両側辺、並びにキーホルダー用貫通孔内周部の全体又は一部に当接するように設ける。【００１２】  あるいは、一方のカバー皮の背面にある固定片を、少なくともキーヘッド外周部の上辺と両側辺に当接するように設ける。【００１３】  あるいは、一方のカバー皮の背面にある固定片を、キーヘッド外周部の上辺及び両側辺、並びにキーホルダー用貫通孔内周部の全体又は一部に当接するように設ける。【００１４】  さらに、キーヘッドの正面又は背面を押圧する押圧片を、一方のカバー皮の背面に設ける。【００１５】  あるいは、キーヘッドの正面及び背面を押圧する押圧片を、他方のカバー皮の背面に設ける。【００１６】  あるいは、キーヘッドの正面及び背面を押圧する押圧片を、一方のカバー皮及び他方のカバー皮の背面に設ける。
【発明の効果】
【００１７】  本発明に係るキーヘッドカバーは、一方のカバー皮の背面には各々のキーヘッド形状に対応した固定片を設け、他方のカバー皮には、種々のキーヘッド形状にも対応し得るよう、固定片を敢えて設けないこととしたので、極端に突飛な形状を有するキーヘッドを除き、様々な形状のキーヘッドに対応することができる。【００１８】  そのため、それぞれのキーヘッドに特化したキーヘッドカバーの製造に比べ、労力・コストの両面で大きく優れている。
【発明を実施するための最良の形態】
【００１９】  二つのカバー皮からなるキーヘッドカバーにおいて、一方のカバー皮５の背面にある固定片を、キーヘッド外周部のコーナー部分３及び両側辺４、並びにキーホルダー用貫通孔２の内周部の一部に当接するように設けるが、他方のカバー皮１０には、種々のキーヘッド形状にも対応し得るよう、固定片を敢えて設けない。【００２０】  キーヘッド１のコーナー部分を固定する固定片６は、当該コーナー部分３を囲むように設置する。【００２１】  側辺を固定する固定片７は、両側辺４のそれぞれ少なくとも１箇所に当接するように設置する。【００２２】  キーホルダー用貫通孔内周部を固定する固定片８は、当該キーホルダー用貫通孔２の形状に即した形状にして設置する。【００２３】  なお、カバー皮、固定片の素材は、樹脂が望ましいが、樹脂以外の素材でも構わない。また、カバー皮、固定片の素材がそれぞれ異なっていても構わない。以下の実施例においても、同様である。
【実施例１】
【００２４】  二つのカバー皮からなるキーヘッドカバーにおいて、一方のカバー皮１５の背面にある固定片を、キーヘッド外周部の上辺１３と両側辺１４、並びにキーホルダー用貫通孔１２の内周部の一部に当接するように設けるが、他方のカバー皮１０には、種々のキーヘッド形状にも対応し得るよう、固定片を敢えて設けない。【００２５】  キーヘッド１１の上辺１３を固定する固定片１６は、上辺の複数箇所に当接するように設置する。【００２６】  側辺１４を固定する固定片１７は、両側辺それぞれ複数箇所に当接するように設置する。【００２７】  キーホルダー用貫通孔内周部１２を固定する固定片１８は、当該キーホルダー用貫通孔の形状に即した形状にして設置する。
【実施例２】
【００２８】  キーヘッドの厚みに関しても、鍵によって多少のバラツキがあるので、キーヘッドが正面・背面方向にもがたつかないようにするために、キーヘッド１、１１の正面及び背面を押圧する押圧片９を、一方のカバー皮５、１５及び他方のカバー皮１０の背面に設ける。
【図面の簡単な説明】
【００２９】
【図１】キーヘッドカバーを被せる前の鍵材
【図２】キーヘッドカバーにおける一方のカバー皮の背面
【図３】キーヘッドカバーにおける他方のカバー皮の背面
【図４】一方のカバー皮にキーヘッドを固定させた状態
【図５】他方のカバー皮にキーヘッドを載せた状態（固定はされていない）
【図６】キーヘッドカバーを被せた鍵材（一方のカバー皮の正面から見たもの）
【図７】キーヘッドカバーを被せた鍵材（他方のカバー皮の正面から見たもの）
【図８】キーヘッドカバーを被せる前の鍵材
【図９】キーヘッドカバーにおける一方のカバー皮の背面
【図１０】キーヘッドカバーにおける他方のカバー皮の背面
【図１１】一方のカバー皮にキーヘッドを固定させた状態
【図１２】他方のカバー皮にキーヘッドを載せた状態（固定はされていない）
【図１３】キーヘッドカバーを被せた鍵材（一方のカバー皮の正面から見たもの）
【図１４】キーヘッドカバーを被せた鍵材（他方のカバー皮の正面から見たもの）
【符号の説明】
【００３０】１…キーヘッド
２…キーヘッドのキーホルダー用貫通孔
３…キーヘッドのコーナー部分
４…キーヘッドの側辺
５…一方のカバー皮
６…コーナー部分を固定する固定片
７…側辺を固定する固定片
８…キーヘッドのキーホルダー用貫通孔内周部を固定する固定片
９…キーヘッドの正面・背面を押圧する押圧片
１０…他方のカバー皮
１１…別のキーヘッド
１２…別のキーヘッドのキーホルダー用貫通孔
１３…別のキーヘッドの上辺
１４…別のキーヘッドの側辺
１５…別の一方のカバー皮
１６…上辺を固定する固定片
１７…側辺を固定する固定片
１８…キーヘッドのキーホルダー用貫通孔内周部を固定する固定片
【図１】
2008082141.tif 000003
【図２】
2008082141.tif 000004
【図３】
2008082141.tif 000005
【図４】
2008082141.tif 000006
【図５】
2008082141.tif 000007
【図６】
2008082141.tif 000008
【図７】
2008082141.tif 000009
【図８】
2008082141.tif 000010
【図９】
2008082141.tif 000011
【図１０】
2008082141.tif 000012
【図１１】
2008082141.tif 000013
【図１２】
2008082141.tif 000014
【図１３】
2008082141.tif 000015
【図１４】
2008082141.tif 000016